(57)【特許請求の範囲】
【請求項１】
刈取り軸（１）周りに回転するブレードアーム（２）の先端部に角穴形態のアーム穴（３）を形成し、このブレードアーム（２）にブレード（４）を取り付けるブレードボルト（５）は、前記アーム穴（３）を嵌合する角軸部（６）と、この角軸部（６）の下端部に位置して前記ブレード（４）の丸穴形態のブレード穴（７）を回転自在に嵌合させる丸軸部（８）を形成し、前記丸軸部（８）にブレード穴（７）を嵌合したブレードボルト（５）を、前記ブレードアーム（２）のアーム穴（３）部に挿通し、このブレードボルト（５）の上端部から角穴部（１４）を有する押えカラー（１０）を嵌挿して、該角穴部（１４）をブレードボルト（５）の角軸部（６）に嵌合させると共に、ブレードボルト（５）上端部からナット（９）を螺合して、前記ブレード（４）をこのブレードボルト（５）の周りに回動自在にして、ブレードアーム（２）に対して取り付けるよう構成し、更に、前記押えカラー（１０）の外周面に段付部（１１）を形成し、この段付部（１１）と下側のブレードアーム（２）上面との間に、前記ナット（９）の外周位置において回動自在のナートガード（１２）を設けたことを特徴とする草刈機の刈刃取付装置。
【請求項２】
前記ブレード（４）のブレード穴（７）の両側縁部にフィンエッジ（１５），（１６）を折曲形態に形成し、このブレード穴（７）をブレードアーム（２）の下側面の丸軸部（８）に回動自在に嵌合すると共にスペーサ（１３）を介在させて回動自在に嵌合して、ブレード（４）を上下面に振替えて取付可能に構成したことを特徴とする請求項１に記載の草刈機の刈刃取付装置。
【発明の詳細な説明】
【技術分野】
【０００１】
芝草等を刈取る草刈機において、回転アームの先端部に取り付けるブレード（刈刃）の取り付け、取り外しを簡単、容易化する刈刃取付装置に関するものである。
【背景技術】
【０００２】
刈取り軸の周りに回転する刈取軸から放射方向へ突出するブレードアームの先端部のブレードボルト周りに、揺動、乃至回動自在にブレードを取り付ける形態の技術（例えば、特許文献１、特許文献２参照）が知られている。
【先行技術文献】
【特許文献】
【０００３】
【特許文献１】特開２００５−２１８３１１号公報
【特許文献２】特開２００９−２８４８１８号公報
【発明の概要】
【発明が解決しようとする課題】
【０００４】
ブレード（刈刃）をブレードの先端部にブレードボルトや、ナット等によって締め付けて着脱可能の状態に取り付ける形態にあっては、安全なブレード交換等のメンテナンスを行うために、ブレードの回り止めを施したり、複数の工具を用いてブレードアームや、ブレードの回動不能状態に固定しておく必要があり、構成、及び操作が、煩雑で面倒である。
【課題を解決するための手段】
【０００５】
請求項１に記載の発明は、刈取り軸１周りに回転するブレードアーム２の先端部に角穴形態のアーム穴３を形成し、このブレードアーム２にブレード４を取り付けるブレードボルト５は、前記アーム穴３を嵌合する角軸部６と、この角軸部６の下端部に位置して前記ブレード４の丸穴形態のブレード穴７を回転自在に嵌合させる丸軸部８を形成し、前記丸軸部８にブレード穴７を嵌合したブレードボルト５を、前記ブレードアーム２のアーム穴３部に挿通し、このブレードボルト５の上端部から角穴部１４を有する押えカラー１０を嵌挿して、該角穴部（１４）をブレードボルト（５）の角軸部（６）に嵌合させると共に、ブレードボルト（５）上端部から前記ナット９を螺合して、前記ブレード４をこのブレードボルト５の周りに回動自在にして、ブレードアーム２に対して取り付けるよう構成し、更に、前記押えカラー１０の外周面に段付部１１を形成し、この段付部１１と下側のブレードアーム２上面との間に、前記ナット９の外周位置において回動自在のナットガード１２を設けた構成とする。
【０００６】
前記ブレードアーム２先端部のナット９をまわして、ブレードボルト５の上端部に締め付けたり、緩めたりすることによって、このブレードボルト５をブレードアーム２のアーム穴３に嵌挿し、又は抜き外してブレード４の着脱を行う。このブレードボルト５をブレードアーム２のアーム穴３に嵌挿するときは、このブレードボルト５の丸軸部８にブレード４のブレード穴７を嵌合させて、（更には、このブレード４上側に所定厚さのスペーサ１３を嵌合させて、）これらブレード４（及びスペーサ１３）は丸軸部８の周りに回動自在の状態にする。この丸軸部８上側の角軸部６をブレードアーム２の角穴形態のアーム穴３に下側から嵌挿して、このブレードボルト５の角軸部６の上部には、押えカラー１０の角穴部１４を嵌合させて、この上端部にナット９を螺合して締め付ける。又、このナット９によって締め付け固定される押えカラー１０の角穴部１４が、ブレードボルト５の角軸部１４に嵌合しているため固定状態で、ブレードアーム２に対する締め付け固定状態を安定維持させる。
【０００７】
ブレードアーム２は、角穴形態のアーム穴３に角軸部６を嵌合させて、下側の丸軸部８と、上側に嵌合の押えカラー１０との間に挟持するように締め付けられて、このブレードボルト５はブレードアーム２に対して回動できないように固定状態に取付維持される。そして、ブレードアーム２下側のブレード４、及びスペーサ１３をブレードボルト５の丸軸部８の周りに回動自在の状態に維持する。このため、ブレード４を着脱するとき、ナット９を工具で回動操作するとき、ブレードアーム２に対してブレード軸５が角穴形態のアーム穴３に対する角軸部６の嵌合状態によって回動しない形態にあって、工具等によるナット９の回動操作によってブレード４が強制的に、急激に、不意に回されることがなく、ナット９の弛緩操作を正確、的確に行うことができる。又、ブレード４は丸軸部８に対して回動自在の状態に維持されるから、ブレードアーム２が刈取軸１の周りに回動されても、ブレード４の回動や、揺動等を緩和したり、吸収することができる。ブレードアーム２を回動し難い形態に維持させておけば、ナット９の回動操作を行ない易くすることができ、安全なナット９等の回動操作を行うことができる。
【０００８】
【０００９】
前記のように、ブレードボルト５とナット９とによって締め付けられて取り付けられたブレード４は、このブレードボルト５の丸軸部８に対して回動自在であり、ブレードアーム２の駆動回転により刈取抵抗を受けて芝草の刈取作用を行う。このブレードボルト５のブレード４取付状態を維持するナット９は、このナット９によって締め付け固定される押えカラー１０の角穴部１４が、ブレードボルト５の角軸部６に嵌合させているため固定状態で、ブレードアーム２に対する締付固定状態を安定維持させる。このような押えカラー１０の外周面には、下側のブレードアーム２の上面とこの押えカラー１０の段付部１１との間に位置して回動自在に嵌合のナットガード１２が構成されて、刈取り芝草等の接触摩擦を受けて回動されることにより、このブレードアーム２及びブレード４等の刈取回転による刈取抵抗を軽減することができる。このナットガード１２の回転によって、ブレードボルト５に締め付けているナット４に対する芝草等の接触を防止することができ、このナット９の緩みや、磨耗等を防止することができる。しかも、前記のような押えカラー１０に対する回動自在に状態を、段付部１１を介して、ナット９によって強固な締め付け固定状態を維持でき、円滑な回動を行わせる。
【００１０】
請求項２に記載の発明は、前記ブレード４のブレード穴７の両側縁部にフィンエッジ１５,１６を折曲形態に形成し、このブレード穴７をブレードアーム２の下側面の丸軸部８に回動自在に嵌合すると共にさせスペーサ１３を介在させて回動自在に嵌合して、ブレード４を上下面に振替えて取付可能に設ける。
【００１１】
前記のようにブレードボルト５、及びナット９によってブレードアーム２の先端部に取付けられるブレード４は、前記ブレードボルト５の嵌挿されるブレード穴７の前後（回転方向の）両側縁部に刈刃縁１７，１８を形成すると共に、このブレード４の上下面に折曲形成のフィンエッジ１５,１６を形成した両刃形態の構成であるから、刈取作用による刈刃縁１７，１８の磨耗等により、ブレード４を上面側と、下面側とに簡単、かつ容易に振替えて付替えることができる。このブレード４上面側に突出するフィンエッジ１５、又は１６は、上方部のブレードアーム２の下側面に接近して回転されるが、これらブレード４とブレードアーム２との上下間隔は、ブレードボルト５の丸軸部８に回動自在に嵌合するスペーサ１３を介在させて、一定高さ間隔に安定維持される。
【発明の効果】
【００１２】
請求項１に記載の発明は、ブレードボルト５、及びナット９をブレードアーム２側に固定させて、ブレード４のみが回動するように構成することにより、ブレード４の着脱等のメンタナンス時において、ブレード４の回り止を施す必要がなくて、不意にブレード４が回転するようなことがなく、着脱操作の安全性を高めることができる。
【００１３】
又、前記ブレードボルト５、及びナット９を、ブレードアーム２側に固定させて、ブレード４のみを回動自在に構成し、しかも、ブレードボルト５やナット９等とは別に、このナット９部の外周部においてナットガード１２のみ回転自在に設けるため、ナット９に対する刈草等の巻き付を防止することができ、刈取作業中におけるナット９の緩みを防止することができ、刈草等の接触等によるナット９等の磨耗を軽減することができる。
【００１４】
請求項２に記載の発明は、ブレード４を表側と、裏側とに振り替えて使用することができ、このときブレード４をいずれの側に振り替えても、回動自在のスペーサ１３の介在によって、フィンエッジ１５,１６部の回転、及び芝草放出作用を円滑に行わせて、芝草の巻き付きを防止して、刈取芝草の外周方向への放出拡散を円滑に行わせることができる。
【図面の簡単な説明】
【００１５】
【図１】ミッドモアーの側面図。
【図２】その平面図。
【図３】ブレードアームに対するブレード取付部の分解斜視図。
【図４】そのブレード取付部の平面図（Ａ）、側断面図（Ｂ）。
【図５】一部別実施例を示すブレード取付部の分解斜視図。
【図６】そのブレード取付部の平面図（Ａ）、側断面図（Ｂ）。
【図７】そのブレード取付部の拡大側断面図。
【発明を実施するための形態】
【００１６】
図面に基づいて、乗用形態のミッドモアーは、ステアリングハンドル２０を有して操向の前輪２１と、乗用シート２２後方のエンジンカバー２３内に搭載のエンジンによって連動駆動される後輪２４を配置した四輪走行形態の車体２５の腹部に、モアデッキ２６を昇降可能に装着している。前記モアデッキ２６の下側中央部に位置して、上下方向の刈取軸１の周りに回転されるブレードアーム２を設け、このブレードアーム２の両端部にブレードボルト５によってブレード４を取り付ける。車体２５の後部にはエンジンから連動される伝動機構の伝動ケース２７を配置して、この伝動ケース２７部から後輪２４を連動すると共に、モアデッキ２６の刈取軸１をベルト等を介して連動している。前記モアデッキ２６は車体２５のフロア２８の下側に配置されてリフトリンク３２によって昇降自在に吊り下げられて、リフトレバー２９の操作により昇降される。３０は刈取クラッチレバー、３１は変速レバーである。
【００１７】
前記ブレードアーム２の形態は、一定幅の細長いプレート状形態で、このブレードアーム２の両端部に上下板厚方向に亘るアーム穴３が、平面視で正方形状の角穴形態に形成される。このブレードアーム２に取り付けるブレード４は、このブレードアーム２の先端部に重合する基部側にブレードボルト５の差し込まれるブレード穴７を平面円形状の丸穴形態に形成し、この先端部側の前後（ブレードアーム２回転方向の）両側縁には刈刃縁１７，１８を形成している。この刈刃縁１７，１８は、前記ブレードアーム２の回転駆動方向が常時一定の方向Ａであるから、このブレード４を上側（又は表側）面と下側（又は裏側）面とに振り替えて使用可能とする形態であって、ブレード４の表側面と裏側面とに形成される刈刃縁１７，１８が回転方向Ａにおいて下側に位置するように形成され、この各刈刃縁１７，１８の上側に傾斜する傾斜刃面３３，３４を形成する。両側の各刈刃縁１７,１８間の間隔は、基部側での間隔を狭くし、先端側での間隔を広くするように平面視略台形状に形成している。これら両側部の刈刃縁１７,１８の基部側のブレード幅を狭く形成して、この基部側の両側縁部にフィンエッジ１５,１６を形成している。したがって、ブレードの両側縁部は基部縁からフィンエッジ１５,１６部に亘って屈曲形態に形成されてある。
【００１８】
又、図５〜図７のようにブレード４の側縁部にフィンエッジ１５,１６を形成する形態にあっては、前記両側の刈刃縁１７,１８の基部側に湾曲形態の窪み縁３５を形成して、基端部側の前記ブレード穴７の両側部にフィンエッジ１５,１６を形成する。ブレード４の表面（上面）側には、刃縁１７を形成すると共に、この刈刃縁１７側とは反対側の縁部にフィンエッジ１５を形成し、裏面（下面）側には、該刈刃縁１７、フィンエッジ１５と対向して刈刃縁１８とフィンエッジ１６を形成している。このフィンエッジ１６によってボルトヘッド３６部の接地摩耗や、芝草の巻付を防止する。
【００１９】
前記ブレードボルト５は、下端部に半球面状のボルトヘッド３６を形成して、芝草の刈り取り跡面や刈取地面等との接触抵抗を軽減し、芝草等の巻付を防止する形態である。このボルトヘッド３６の上側には、ブレード４の丸穴形態のブレード穴７を嵌合させる丸軸部８を形成する。この丸軸部８の上側部にブレードアーム２の角型のアーム穴３と、ナットガード１２の角穴部１４を嵌合させる角軸部６を形成する。この角軸部６の上側部にナット９を螺挿する螺子部３７を形成する。
【００２０】
ナットガード１２は、円筒状のガード筒部３８とこの底部３９とからコップ上形態に形成し、ブレードボルト５の上端部の螺子部３７に螺合するナット９の外周部には、工具を差し込んで回動操作するための適宜間隔の工具間隔Ｂを形成して円筒状形態に囲うガード筒部３８を構成し、この底部３９に押えカラー１０の外周面に回動自在に嵌合する底穴部４０を形成する。
【００２１】
前記押えカラー１０は、前記ブレードボルト５の角軸部６と嵌合する角穴部１４を形成し、外周面は、カラー円筒面４１とこの上端部に大径に張り出したカラー上縁部４２とによって段付部１１を形成し、このカラー縁当面４１の外周に嵌合する前記ナットガード１２の底部３９を、これらカラー上縁部４２と下側のブレードアーム２との間に保持させて回動自在に構成する。
【００２２】
ここにおいて、前記刈取り軸１周りに回転するブレードアーム２の先端部に角穴形態のアーム穴３を形成し、このブレードアーム２にブレード４を取り付けるブレードボルト５は、前記アーム穴３を嵌合する角軸部６と、この角軸部６の下端部に位置して前記ブレード４の丸穴形態のブレード穴７を回転自在に嵌合させる丸軸部８を形成し、前記丸軸部８にブレード穴７を嵌合したブレードボルト５を、前記ブレードアーム２のアーム穴３部に挿通し、このブレードボルト５の上端部から角穴部１４を有する押えカラー１０を嵌挿して、該角穴部１４をブレードボルト５の角軸部６に嵌合させると共に、ブレードボルト５上端部から前記ナット９を螺合して、前記ブレード４をこのブレードボルト５の周りに回動自在にして、ブレードアーム２に対して取り付けるよう構成し、更に、前記押えカラー１０の外周面に段付部１１を形成し、この段付部１１と下側のブレードアーム２上面との間に、前記ナット９の外周位置において回動自在のナットガード１２を設けた構成とする。
【００２３】
前記ブレードアーム２先端部のナット９をまわして、ブレードボルト５の上端部に締め付けたり、緩めたりすることによって、このブレードボルト５をブレードアーム２のアーム穴３に嵌挿し、又は抜き外して、ブレード４の着脱を行う。このブレードボルト５をブレードアーム２のアーム穴３に嵌挿するときは、このブレードボルト５の丸軸部８にブレード４のブレード穴７を嵌合させて、（更には、このブレード４上側に所定暑さのスペーサ１３を嵌合させて、）これらブレード４（及びスペーサ１３）は丸軸部８の周りに回動自在の状態にある。この丸軸部８上側の角軸部６をブレードアーム２の角穴形態のアーム穴３に下側から嵌挿して、このブレードボルト５の角軸部６の上部には、押えカラー１０の角穴部１４を嵌合させて、この上端部にナット９を螺合して締め付ける。又、このナット９によって締付け固定される押えカラー１０の角穴部１４が、ブレードボルト５の角軸部１４に嵌合させているため固定状態で、ブレードアーム２に対する締付固定状態を安定維持させる。
【００２４】
ブレードアーム２は、角穴形態のアーム穴３に角軸部６を嵌合させて、下側の丸軸部８と、上側に嵌合の押えカラー１０との間に挟持するように締め付けられて、このブレードボルト５はブレードアーム２に対して回動できないように固定状態に取付維持される。そして、ブレードアーム２下側のブレード４、及びスペーサ１３がブレードボルト５の丸軸部８の周りに回動自在の状態に維持する。このため、ブレード４を着脱するとき、ナット９を工具で回動操作するとき、ブレードアーム２に対してブレード軸５が角穴形態のアーム穴３に対する角軸部６の嵌合状態によって回動しない形態にあって、工具等によるナット９の回動操作によってブレード４が強制的に、急激に、不意に回されることがなく、ナット９の弛緩操作を正確、的確に行うことができる。又、ブレード４は丸軸部８に対して回動自在の状態に維持されるから、ブレードアーム２が刈取軸１の周りに回動されても、ブレード４の回動や、揺動等を緩和したり、吸収することができる。ブレードアーム２を回動し難い形態に維持させておけば、ナット９の回動操作を行ない易くすることができ、安全な操作を行うことができる。
【００２５】
又、ブレード４を回動自在に嵌合させたブレードボルト５の中間部に角軸部６を形成し、この角軸部６に押えカラー１０の角穴部１４を嵌合させて、このブレードボルト５の上端部からナット９を螺合させてブレードアーム２の上面に締付けて固定し、前記押えカラー１０の外周面に段付部１１を形成し、この段付部１１と下側のブレードアーム２上面との間に、前記ナット９部の外周に工具間隔Ｂを有して回動自在のナットガード１２を形成する。
【００２６】
前記のように、ブレードボルト５とナット９とによって締め付けられて取り付けられたブレード４は、このブレードボルト５の丸軸部８に対して回動自在であり、ブレードアーム２の駆動回転により刈取抵抗を受けて芝草の刈取作用を行う。このブレードボルト５のブレード４取付状態を維持するナット９は、このナット９によって締付け固定される押えカラー１０の角穴部１４が、ブレードボルト５の角軸部６に嵌合させているため固定状態で、ブレードアーム２に対する締付固定状態を安定維持させる。この押えカラー１０の外周面には、下側のブレードアーム２の上面とこの押えカラー１０の段付部１１との間に位置して回動自在に嵌合のナットガード１２が構成されて、刈取芝草等の接触摩擦を受けて回動されることにより、このブレードアーム２及びブレード４等の刈取回転による刈取抵抗を軽減することができる。このナットガード１２の回転によって、ブレードボルト５に締め付けているナット４に対する芝草等の接触を防止することができると共に、このナット９の緩みや、磨耗等を防止することができる。しかも、前記のような押えカラー１０に対する回動自在に状態を、段付部１１を介して、ナット９によって強固な締付固定状態を維持でき、円滑な回動を行わせる。
【００２７】
さらには、前記ブレード４のブレード穴７の両側縁部にフィンエッジ１５,１６を折曲形態に形成し、このブレード穴７をブレードアーム２の下側面の丸軸部８に回動自在に嵌合させ、スペーサ１３を介在させて回動自在に嵌合して、ブレード４を上下面に振替えて取付可能に設ける。
【００２８】
前記のようにブレードボルト５、及びナット９によってブレードアーム２の先端部に取付けられるブレード４は、前記ブレードボルト５の嵌挿されるブレード穴７の前後（ブレードアーム２の回転方向の）両側縁部に刈刃縁１７，１８を形成すると共に、このブレード４の上下面に折り曲げ形成のフィンエッジ１５,１６を形成した両刃形態の構成であるから、刈取作用による刈刃縁１７，１８の磨耗等により、ブレード４を上面側と、下面側とに簡単、かつ容易に振替えて付替えることができる。このブレード４上面側に突出するフィンエッジ１５、又は１６は、上方部のブレードアーム２の下側面に接近して回転されるが、これらブレード４とブレードアーム２との上下間隔は、ブレードボルト５の丸軸部８に回動自在に嵌合するスペーサ１３を介在させて、一定高さ間隔に安定維持される。
【符号の説明】
【００２９】
１    刈取軸
２    ブレードアーム
３    アーム穴
４    ブレード
５    ブレードボルト
６    角軸部
７    ブレード穴
８    丸軸部
９    ナット
１０  押えカラー
１１  段付部
１２  ナットガード
１３  スペーサ
１４  角穴部
１５  フィンエッジ
１６  フィンエッジ
１７  刈刃縁
１８  刈刃縁
【図１】
0005867140.tif 000002
【図２】
0005867140.tif 000003
【図３】
0005867140.tif 000004
【図４】
0005867140.tif 000005
【図５】
0005867140.tif 000006
【図６】
0005867140.tif 000007
【図７】
0005867140.tif 000008